(57)【特許請求の範囲】
【請求項１】
絶縁層と、
前記絶縁層の上面と平行に配置される第１部分と、前記第１部分の一端から延びて一定曲率を有して形成される第２部分と、前記第１部分の他端から延びて一定曲率を有して形成される第３部分とを含み、前記絶縁層の内部に埋め込まれている一つの光導波路と、
前記光導波路の第２部分を覆いかぶせて、上面を通じて前記第２部分の一端を露出する第１光路変更部と、
前記光導波路の第３部分を覆いかぶせて、上面を通じて前記第３部分の一端を露出する第２光路変更部と、を含み、
前記絶縁層は、溝が形成された第１絶縁層と、前記溝に挿入された前記光導波路の第１部分の上面を覆いかぶせて、前記第１絶縁層の前記溝を埋め込む第２絶縁層とを含み、
前記第１光路変更部及び前記第２光路変更部は、前記第１及び第２絶縁層を形成する絶縁物質と異なる絶縁物質で形成され、
前記光導波路は、前記第１部分、前記第２部分及び前記第３部分が一体に形成されて部分別に異なる絶縁層内に埋め込まれる一つの光導波路であることを特徴とする光印刷回路基板。
【請求項２】
前記第１及び２光路変更部は、前記光導波路により形成される光信号の伝送経路を一定曲率を有する鈍角に変更することを特徴とする、請求項１に記載の光印刷回路基板。
【請求項３】
前記第１及び２光路変更部は、前記光導波路に形成された鈍角を維持するために熱硬化性絶縁物質で前記光導波路の周囲を覆いかぶせて形成されることを特徴とする請求項２に記載の光印刷回路基板。
【請求項４】
前記第１及び２光路変更部は、前記絶縁層を構成する物質のガラス転移温度より高い熱硬化性絶縁物質または液状タイプの熱硬化性絶縁物質で構成されることを特徴とする請求項１乃至３のいずれか一項に記載の光印刷回路基板。
【請求項５】
前記光導波路の第１部分、第２部分及び第３部分のそれぞれは、
前記光信号を伝達するコア層と、
前記コア層の周りを覆いかぶせる少なくとも１つのクラッド層と、
を含むことを特徴とする請求項１乃至４のいずれか一項に記載の光印刷回路基板。
【請求項６】
前記コア層は、前記クラッド層を構成する物質より屈折率の大きい物質で形成されることを特徴とする請求項５に記載の光印刷回路基板。
【請求項７】
前記コア層は、シリカ及びポリマーが混合されたＳｉＯ２のうち、少なくともいずれか１つの物質で形成されることを特徴とする請求項５又は６に記載の光印刷回路基板。
【発明の詳細な説明】
【技術分野】
【０００１】
本発明は、光印刷回路基板及びその製造方法に関するものである。
【背景技術】
【０００２】
一般に、印刷回路基板（Printed Circuit Board；ＰＣＢ）は絶縁部材に導電層が積層された構造を有する銅箔積層板により製造される。印刷回路基板は銅箔積層板に回路パターンを形成することによって製造されることができ、これを電気印刷回路基板という。電気印刷回路基板は信号の伝達媒体として銅などの導電性金属を電気配線に用いるため、超高速、大容量のデータを伝送することに限界がある。
【０００３】
これを克服するための方法として、最近、絶縁部材の上に光導波路を形成させる光印刷回路基板技術が開発された。このような光印刷回路基板で光が通過する光導波路を具現するために高分子重合体（Polymer）とガラス繊維（Glass fiber）などを用いた光ファイバー（optical fiber）が適用されている。
【０００４】
図１は、従来技術に従う光印刷回路基板の断面図及び部分拡大図である。
【０００５】
図１を参照すると、光印刷回路基板１０４に光導波路１０１が積層形成されるが、この光導波路１０１は光路を９０度変更させるために９０度に曲がった光路変更部１０２を備える。
【０００６】
このように、光導波路１０１を内蔵積層して製作する光印刷回路基板１０４の場合、その最終厚さは積層される光導波路１０１の厚さ（ｔ）に依存するようになる。
【０００７】
ここで、光導波路１０１の厚さ（ｔ）とは、図１の部分拡大図のように光導波路１０１の水平部分から曲がって上がる端部までの距離をいう。前記光導波路１０１が垂直に積層されている場合、光印刷回路基板１０４の上部面に表れるようになる光導波路１０１の断面１０３は光導波路１０１を垂直に切断した断面の面積を有するようになる。前記光導波路１０１の断面積が小さい場合、光整列に困難性を有するようになる。
【０００８】
もし、最終の光印刷回路基板１０４の厚さを縮めるために光導波路１０１の厚さをより縮めるようになれば、光導波路１０１をより小さい曲率半径に曲げなければならないので、それだけ光導波路１０１が破損される虞がより大きくなる。
【０００９】
このように、光導波路が垂直に積層されている場合、光印刷回路基板の上部面に表れるようになる光導波路の断面は光導波路を垂直に切断した断面の面積を有するようになるが、その断面が小さい場合、光整列に困難性を有するようになる問題点があった。
【００１０】
また、光路を９０度変更させるために光導波路を９０度に曲げて光路変更部を製作する時、曲げによる光損失が発生し、曲げによる高い張力により光導波路が破損されることがあり、曲げによる光導波路の破損を防止するためにやむを得ずに光印刷回路基板の厚さを厚く製作しなければならないという問題点があった。
【発明の概要】
【発明が解決しようとする課題】
【００１１】
本発明の目的は、新たな構造の光印刷回路基板及びその製造方法を提供することにある。
【００１２】
本発明の他の目的は、光の経路を鈍角に変更して光の伝送効率を上げることができる光印刷回路基板及びその製造方法を提供することにある。
【００１３】
本発明で達成しようとする課題は前述した目的に制限されず、他の目的及び長所は以下の説明により明らかに理解できる。
【課題を解決するための手段】
【００１４】
実施形態に従う光印刷回路基板は、絶縁層、光信号を伝達するために、前記絶縁層の内部に埋め込まれて形成される光導波路、及び前記光導波路の少なくとも一端に形成され、前記光導波路により形成される光信号の伝送経路が一定曲率を有するように変更する光路変更部を含む。
【００１５】
また、前記光路変更部は、前記光導波路の第１段に形成され、前記光信号の伝送経路を変更する第１光路変更部と、前記第１段と反対になる前記光導波路の第２段に形成され、前記光信号の伝送経路を変更する第２光路変更部とを含む。
【００１６】
また、前記第１及び２光路変更部は、前記光導波路により形成される光信号の伝送経路を一定曲率を有する鈍角に変更する。
【００１７】
また、前記第１及び２光路変更部は、前記光導波路に形成された鈍角を維持するために熱硬化性絶縁物質で前記光導波路の周囲を覆いかぶせて形成される。
【００１８】
また、前記光導波路は、前記絶縁層の上面または下面と平行に配置される第１領域と、前記第１領域の一端から延びて、一定曲率の鈍角を有して形成される第２領域と、前記第１領域の他端から延びて、一定曲率の鈍角を有して形成される第３領域を含む。
【００１９】
また、前記第２及び３領域のうちの少なくとも１つの端部は、前記絶縁層の上面または下面を通じて露出する。
【００２０】
また、前記第１及び２光路変更部は、前記絶縁層を構成する物質のガラス転移温度より高い熱硬化性絶縁物質または液状タイプの熱硬化性絶縁物質で構成される。
【００２１】
また、前記光導波路は、前記光信号を伝達するコア層と、前記コア層の周りを覆いかぶせる少なくとも１つのクラッド層とを含み、前記コア層は前記クラッド層を構成する物質より屈折率の大きいシリカ及びポリマーが混合されたＳｉＯ２のうち、少なくともいずれか１つの物質で形成される。
【００２２】
また、前記光導波路は、多チャンネル構造または多層構造で形成される。
【００２３】
一方、実施形態に従う光印刷回路基板の製造方法は、光信号を伝達する光導波路を形成するステップ、前記形成された光導波路の少なくとも一端を折曲させて前記光信号の伝送経路を変更する光路変更部を形成するステップ、及び前記光路変更部により少なくとも一端が折り曲げられた光導波路を絶縁層に埋め込むステップを含む。
【００２４】
また、前記光路変更部を形成するステップは、前記光導波路の第１段を折曲させて前記光信号の伝送経路を変更する第１光路変更部を形成するステップと、前記第１段と反対になる前記光導波路の第２段を折曲させて前記光信号の伝送経路を変更する第２光路変更部を形成するステップとを含む。
【００２５】
また、前記第１及び２光路変更部を形成するステップは、前記光導波路により形成される光信号の伝送経路を一定曲率を有する鈍角に変更する第１及び第２光路変更部を形成するステップを含む。
【００２６】
また、前記第１及び２光路変更部を形成するステップは、前記光導波路を折曲させて形成された鈍角を維持するために熱硬化性絶縁物質で前記光導波路の周りを覆いかぶせる第１及び２光路変更部を形成するステップを含む。
【００２７】
また、前記熱硬化性絶縁物質は、液状タイプ熱硬化性絶縁物質を含む。
【００２８】
また、前記光導波路は、前記絶縁層の上面または下面と平行に配置される第１領域と、前記第１領域の一端から延びて、一定曲率の鈍角を有して形成される第２領域と、前記第１領域の他端から延びて、一定曲率の鈍角を有して形成される第３領域を含む。
【００２９】
また、前記第２及び第３領域のうちの少なくとも１つの端部は、前記絶縁層の上面または下面を通じて露出する。
【００３０】
また、前記第１及び２光路変更部は、前記絶縁層を構成する物質のガラス転移温度より高い熱硬化性絶縁物質または液状タイプの熱硬化性絶縁物質で形成される。
【００３１】
また、前記光導波路を形成するステップは、前記光信号を伝達するコア層を形成するステップと、前記コア層の周りを覆いかぶせる少なくとも１つのクラッド層を形成するステップとを含む。
【００３２】
また、前記コア層は前記クラッド層を構成する物質より屈折率の大きい物質で形成される。
【００３３】
また、前記コア層は、シリカ及びポリマーが混合されたＳｉＯ２のうち、少なくともいずれか１つの物質で形成される。
【発明の効果】
【００３４】
本発明によれば、鈍角の曲率を有するように光導波路を形成することによって、光導波路に作用する張力により光導波路が破損される問題を解決し、これによって光導波路を積層して製造される光印刷回路基板の厚さを縮めることができる。
【００３５】
また、本発明によれば、光印刷回路基板の上部面に露出した光導波路の口径面積が大きくなるにつれて光素子をより容易に整列させることができる。
【００３６】
また、本発明によれば、光導波路が形成する鈍角を維持させるための別途のモジュールを追加することによって、安定的で、かつ信頼性の高い光印刷回路基板を提供することができる。
【図面の簡単な説明】
【００３７】
【図１】従来技術に従う光印刷回路基板を示す断面図である。
【図２】本発明の第１実施形態に従う光印刷回路基板を示す断面図である。
【図３】図２に図示されたＡ領域の拡大図である。
【図４】本発明の第１実施形態に従う光印刷回路基板の製造方法を工程順に示す断面図である。
【図５】本発明の第１実施形態に従う光印刷回路基板の製造方法を工程順に示す断面図である。
【図６】本発明の第１実施形態に従う光印刷回路基板の製造方法を工程順に示す断面図である。
【図７】本発明の第１実施形態に従う光印刷回路基板の製造方法を工程順に示す断面図である。
【図８】本発明の第１実施形態に従う光印刷回路基板の製造方法を工程順に示す断面図である。
【図９】本発明の第１実施形態に従う光印刷回路基板の製造方法を工程順に示す断面図である。
【図１０】本発明の第１実施形態に従う光印刷回路基板の製造方法を工程順に示す断面図である。
【図１１】本発明の第２実施形態に従う光印刷回路基板を示す断面図である。
【発明を実施するための形態】
【００３８】
以下、添付した図面を参考にして本発明の実施形態に対して本発明が属する技術分野で通常の知識を有する者が容易に実施できるように詳細に説明する。しかしながら、本発明は多様な相異する形態に具現されることができ、ここで説明する実施形態に限定されるものではない。
【００３９】
明細書の全体で、どの部分がどの構成要素を“含む”とする時、これは特別に反対になる記載がない限り、他の構成要素を除外するものでなく、他の構成要素をさらに含むことができることを意味する。
【００４０】
そして、図面において、本発明を明確に説明するために説明と関係のない部分は省略し、幾つの層及び領域を明確に表現するために厚さを拡大して表したし、明細書の全体を通じて類似の部分に対しては類似の図面符号を付けた。
【００４１】
層、膜、領域、板などの部分が他の部分の“上に”あるとする時、これは他の部分の“真上に”ある場合だけでなく、その中間に更に他の部分がある場合も含む。反対に、どの部分が他の部分の“真上に”あるとする時には中間に他の部分がないことを意味する。
【００４２】
以下、図２乃至図１０を参照して本発明の第１実施形態に従う光印刷回路基板について説明する。
【００４３】
図２は、本発明の第１実施形態に従う光印刷回路基板の断面図である。
【００４４】
図２を参照すると、本発明の第１実施形態に従う光印刷回路基板２００は、ベース基板２０７、前記ベース基板２０７の内部に積層形成されて光路を形成する光導波路２１０、前記光導波路２１０の少なくとも一端に形成されて、前記光導波路２１０により形成される光路を一定曲率を有する鈍角に変更する光路変更部２０６、前記ベース基板２０７の上に積層されて光を送信する光送信機２０８、及び前記光送信機２０８を通じて送信された光を受信する光受信機２０９を含む。
【００４５】
ベース基板２０７は絶縁層と電気信号伝送のための回路パターン（図示せず）などを含むことができる。前記電気信号伝送のための回路パターンは、金、銀、ニッケル、銅などの電気伝導性金属からなることができ、本実施形態では銅を使用する。
【００４６】
ベース基板２０７は、好ましくは補強材が含浸された熱硬化性樹脂からなることができ、例えばプリプレグ、通常の樹脂基板資材として、ＦＲ−４、ＢＴ（Bismaleimide Triazine）、ＡＢＦ（Ajinomoto Buildup Film）などのエポキシ系樹脂を使用することができるが、特別にこれに限定されるものではない。
【００４７】
また、前記ベース基板２０７の上部に形成される回路パターンは、通常的な印刷回路基板の製造工程であるアディティブ工法（Additive process）、サブトラクティブ工法（Subtractive Process）、ＭＳＡＰ（Modified Semi Additive Process）及びＳＡＰ（Semi Additive Process）工法などにより形成可能であり、これに対する詳細な説明は省略する。
【００４８】
また、前記ではベース基板２０７の上部のみに回路パターンが形成された断面印刷回路基板をベース基板２０７の例として叙述するが、ベース基板２０７は断面印刷回路基板だけでなく、絶縁層の両面に回路パターンが形成された両面印刷回路基板または複数の回路パターンを有する多層印刷回路基板になることができることを明らかにする。
【００４９】
前記ベース基板２０７の内部には光導波路２１０が埋め込まれている。
【００５０】
この際、前記光導波路２１０は、下部クラッド層２０１、上部クラッド層２０３、及び前記下部クラッド層２０１と上部クラッド層２０３との間に形成されたコア層２０２を含む。
【００５１】
ここで、前記下部クラッド層２０１及び上部クラッド層２０３はコア層２０２を通じて効率的な光信号の伝送がなされることができるように前記コア層２０２を覆いかぶせる構成で形成される。
【００５２】
この際、前記コア層２０２の下部には下部クラッド層２０１が形成され、コア層２０２の上部には上部クラッド層２０３が形成されると例示したが、これは一実施形態にすぎないものであり、前記コア層２０２の全体を覆いかぶせるように１つのクラッド層のみを形成することもできる。
【００５３】
上部クラッド層２０３及び下部クラッド層２０１は、例えば、アクリル（acryl）、エポキシ（epoxy）、ポリイミド（polyimide）、フッ素化アクリル、またはフッ素化ポリイミドなどのポリマー系列の材質からなる。
【００５４】
コア層２０２は、上部クラッド層２０３と下部クラッド層２０１との間に介され 、光信号の伝送経路を提供する。コア層２０２は、上部クラッド層２０３及び下部クラッド層２０１と類似のポリマー系列の材質からなるが、効率的な光信号伝送のために前記上部クラッド層２０３及び下部クラッド層２０１より高い屈折率を有する。この際、前記コア層２０２はシリカまたはポリマーが混合されたＳｉＯ２で形成できる。
【００５５】
前記コア層２０２は、前記上部クラッド層２０３及び下部クラッド層２０１の両側から突出した形態に形成される。前記コア層２０２の両端は一定角度で切断されて前記ベース基板２０７の上部に露出するように形成されることができ、前記コア層の両切断面にはＡｌまたはＡｇのように反射度の高い物質で形成された反射層をさらに含むことができる。
【００５６】
この際、前記コア層２０２は前記上部クラッド層２０３と下部クラッド層２０１の内部に配置され、前記上部及び下部クラッド層に比べて高い屈折率を有するため、前記コア層２０２を過ぎる光は前記コア層２０２と下部／上部クラッド層２０１、２０３の間の境界面で全反射されて前記コア層２０２に沿って進行する。
【００５７】
一方、前記のような光導波路２１０は光透過性及び柔軟性（flexible）に優れる高分子物質、例えば、有機−無機高分子物質などを用いてエンボシング工程やフォトリソグラフィ工程により形成できる。
【００５８】
この際、前記有機−無機高分子物質は、例えば、低密度ポリエチレン（Low Density Polyethylene）、超低密度ポリエチレン（ＬＬＤＰＥ）、高密度ポリエチレン（High Density Polyethylene）、ポリプロピレン（Polypropylene）、アマイド（Amide）系列のナイロン６（Nylon 6）、ナイロン６６（Nylon 66）、ナイロン６／９（Nylon 6/9）、ナイロン６／１０（Nylon 6/10）、ナイロン６／１２（Nylon 6/12）、ナイロン１１、ナイロン１２、ポリスチレン（Polystyrene）、ポリエチレンテレフタレート（Polyethylene Terephthalate）、ポリブチルテレフタレート（Polybutyl Terephthalate）、ポリビニルクロライド（polyvinyl chloride）、ポリビニリデンクロライド（Polyvinylidene Chloride）、ポリカーボネート（Polycarbonate）、セルロースアセテート（Cellulose Acetate）、またはポリ（メタ）アクリレート（Poly（meth）acrylate）のうち、いずれか１つからなることが好ましく、これら材料のうち、熱的性質及び機械的性質を考慮してこれらうちから選択されるいずれか１つまたはこれらの組合せによりなされることもできる。
【００５９】
上記のように構成された光導波路２１０の両端部には前記光路を一定曲率を有して変更する光路変更部２０６が形成される。
【００６０】
前記光路変更部２０６は水平方向の光路を鈍角に変更する。
【００６１】
即ち、従来では前記水平方向の光路を垂直方向に変更する場合、前記光導波路２１０を直角にして前記光路を変更するようになる。しかしながら、このように前記光導波路２１０が垂直に積層される場合、前記光導波路２１０の曲率半径は小さくなり、これによるベンディング損失が発生するようになる。また、光導波路２１０に作用する張力が大きくなるにつれて前記光導波路２１０が破損される危険がある。
【００６２】
これによって、本実施形態では図３に示すように、前記光導波路２１０を一定曲率を有する鈍角に変更するため、前記光導波路２１０の曲率半径が垂直に積層される場合より大きくなり、これによって光導波路２１０で重要な損失として作用するベンディング損失を減少させることができるだけでなく、前記光導波路２１０に作用する張力を減少させて前記光導波路２１０が破損される危険を低下させる。
【００６３】
この際、前記光路変更部２０６の内部は前記光導波路２１０の両端部に対する鈍角を維持させるための熱硬化性絶縁物質で充填されている。言い換えると、前記光路変更部２０６の内部は前記のような熱硬化性絶縁物質で充填されるため、前記光導波路２１０の両端部を保護するだけでなく、前記光導波路２１０の両端部に形成された鈍角に変化が生じないように維持させる。
【００６４】
前記光路変更部２０６の内部は前記ベース基板２０７を形成する物質と相異する物質で形成されることが好ましい。
【００６５】
例えば、前記光路変更部２０６は前記ベース基板２０７を形成する物質よりガラス転移温度の高い熱硬化性絶縁物質で形成されるか、前記ベース基板２０７を形成する物質と異なる液状タイプに形成できる。
【００６６】
これによって、前記光導波路は、前記ベース基板２０７の上面または下面と平行に配置される第１領域と、前記第１領域の一端から延びて、一定曲率の鈍角を有して形成される第２領域と、前記第１領域の他端から延びて、一定曲率の鈍角を有して形成される第３領域とを含むようになる。
【００６７】
前記ベース基板２０７の上には、光送信機２０８と、前記光送信機２０８を通じて送信された光を受信する光受信機２０９が実装される。
【００６８】
前記光送信機２０８及び光受信機２０９は、前記ベース基板２０７の上で一定間隔をおいて配置される。この際、前記光送信機２０８と光受信機２０９との配置間隔は前記ベース基板２０７の上に露出した光導波路２１０の両端の間隔により決定できる。より好ましくは、前記光送信機２０８は前記ベース基板２０７の上に露出した光導波路２１０の一端に配置され、前記光受信機２０９は前記光導波路２１０の他端が露出した領域に配置される。
【００６９】
前記光送信機２０８は光信号を生成して出力するものであって、ドライバー集積回路（図示せず）及び発光素子（図示せず）を含む。前記発光素子は前記ドライバー集積回路により駆動されて前記ベース基板２０７の上部を通じて露出した光導波路２１０に光を発生する。
【００７０】
この際、前記発光素子は光シグナルを照射する光源素子であるＶＣＳＥＬ（Vertical-Cavity Surface-Emitting Laser）を含むことができる。前記ＶＣＳＥＬはレーザービームを垂直に照射する方式により光源シグナルを伝送または増幅させる光源素子である。
【００７１】
前記光受信機２０９は、レシーバー集積回路（図示せず）及び受光素子（図示せず）を含む。
【００７２】
前記受光素子は前記光送信機２０８から発生した光を受信するものであって、前記レシーバー集積回路により駆動される。前記受光素子は光シグナルを検出する素子であるＰＤ（Photo detector）を含むことができる。
【００７３】
また、本発明に従う実施形態では、前記ベース基板２０７の内に１つの光導波路２１０のみ埋め込まれていると説明したが、これは本発明の実施形態にすぎないものであり、複数個の光導波路２１０が前記ベース基板２０７の内に埋め込まれていることもできる。
【００７４】
例えば、同一層の内で前記光導波路２１０が複数個形成された多チャンネル光導波路を含む光印刷回路基板も製造することができ、前記多チャンネルだけでなく、多層的に複数個の光導波路２１０が形成された光印刷回路基板も製造することができる。
【００７５】
上記のように、本発明の実施形態に従う光印刷回路基板２００は、光導波路２１０の両端部に形成された光路を鈍角に変更し、前記光導波路２１０の両端部に前記形成された鈍角を維持させ、前記光導波路２１０を保護する光路変更部２０６を形成することによって、ベース基板の上部に露出する光導波路２１０の口径が拡大されるようにすることができるだけでなく、光導波路のベンディング損失及び張力を減少させることができる。
【００７６】
図４乃至図１０は、本発明の実施形態に従う光印刷回路基板２００の製造方法を示す断面図である。
【００７７】
まず、所定の使用光波長に対する光透明性の良い物質からなる下部クラッド層２０１を形成する。
【００７８】
以後、前記下部クラッド層２０１の上にコア層２０２を積層する。
【００７９】
この際、前記下部クラッド層２０１は、例えば、アクリル（acryl）、エポキシ（epoxy）、ポリイミド（polyimide）、フッ素化アクリル、またはフッ素化ポリイミドなどのポリマー系列の材質からなる。
【００８０】
前記コア層２０２は下部クラッド層２０１の上に形成され、光信号が伝えられる経路の役割をする。コア層２０２は、下部クラッド層２０１と類似のポリマー系列の材質からなることができ、効率的な光信号伝送のために、クラッド層より高い屈折率を有する。この際、前記コア層２０２はシリカまたはポリマーが混合されたＳｉＯ２で形成できる。
【００８１】
また、前記コア層２０２は光透過性及び柔軟性（flexible）に優れる高分子物質、例えば、有機−無機高分子物質などを用いてエンボシング工程やフォトリソグラフィ工程により形成できる。
【００８２】
この際、前記有機−無機高分子物質は、例えば、低密度ポリエチレン（Low Density Polyethylene）、超低密度ポリエチレン（ＬＬＤＰＥ）、高密度ポリエチレン（High Density Polyethylene）、ポリプロピレン（Polypropylene）、アマイド（Amide）系列のナイロン６（Nylon 6）、ナイロン６６（Nylon 66）、ナイロン６／９（Nylon 6/9）、ナイロン６／１０（Nylon 6/10）、ナイロン６／１２（Nylon 6/12）、ナイロン１１、ナイロン１２、ポリスチレン（Polystyrene）、ポリエチレンテレフタレート（Polyethylene Terephthalate）、ポリブチルテレフタレート（Polybutyl Terephthalate）、ポリビニルクロライド（polyvinyl chloride）、ポリビニリデンクロライド（Polyvinylidene Chloride）、ポリカーボネート（Polycarbonate）、セルロースアセテート（Cellulose Acetate）、またはポリ（メタ）アクリレイト（Poly（meth）acrylate）のうち、いずれか１つからなることが好ましく、これら材料のうち、熱的性質及び機械的性質を考慮して、これらのうちから選択されるいずれか１つまたはこれらの組合せによりなされることもできる。
【００８３】
次に、図５を参照すると、前記コア層２０２の上に上部クラッド層２０３を積層する。
【００８４】
即ち、前記コア層２０２を中心に前記コア層２０２を保護するための上部クラッド層２０３及び下部クラッド層２０１を積層する。
【００８５】
結論的に、下部クラッド層２０１、コア層２０２、及び上部クラッド層２０３を順次に積層するか、一括積層して図５に示すように光導波路２１０を形成する。
【００８６】
次に、図６に示すように、鈍角形成ジグ３００を用いて前記形成された光導波路２１０の両端部に対する光路を変更する光路変更部２０６を形成する。
【００８７】
このために、前記鈍角形成ジグ３００を用いて、前記光導波路２１０の両端部を一定曲率を有する鈍角に折曲させる。そして、前記鈍角に折り曲げられた光導波路２１０の周りを覆いかぶせる光路変更部２０６を形成する。
【００８８】
この際、前記折り曲げられる光導波路２１０に対する角のサイズは光導波路２１０の内で全反射がなされるための最大角を考慮して決定することが好ましい。例えば、前記光路変更部に対する角のサイズは９０度〜１３０度範囲を満たすようにすることができる。
【００８９】
より具体的に、前記鈍角形成ジグ３００の第１領域２０４は、前記光導波路２１０の左側端部を傾けて鈍角を形成し、前記鈍角形成ジグ３００の第２領域２０５は前記光導波路２１０の右側端部を傾けて鈍角を形成する。
【００９０】
次に、図７に示すように、前記鈍角形成ジグ３００の第１領域２０４及び第２領域２０５に熱硬化性絶縁物質を充填して前記光導波路２１０の両端部に形成された鈍角が維持できるようにする第１及び２光路変更部２０６を形成する。
【００９１】
この際、前記第１領域２０４及び第２領域２０５に充填される熱硬化性絶縁物質は、今後上記のように形成される光導波路２１０を埋め込むベース基板２０７の形成物質と相異する物質のものが好ましい。
【００９２】
即ち、前記熱硬化性絶縁物質は、前記ベース基板２０７を形成する物質のガラス転移温度より高かいか、前記ベース基板２０７を形成する物質と異なる液状タイプの物質であることが好ましい。
【００９３】
上記のように、前記第１領域２０４及び第２領域２０５に絶縁物質を充填した後、硬化させれば、前記光導波路２１０の両端部は前記絶縁物質により保護されるとともに、前記形成された鈍角を継続的に維持するようになる。
【００９４】
次に、図８に示すように、ベース基板２０７を用意し、前記用意したベース基板２０７の内に前記形成された光導波路２１０を埋め込む。
【００９５】
前記ベース基板２０７は、絶縁層と前記絶縁層の一面に形成された回路パターン（図示せず）を含むことができる。前記回路パターンは、金、銀、銅、ニッケルなどの電気伝導性金属からなることができる。
【００９６】
また、前記絶縁層はプリプレグのような補強材が含浸された熱硬化性樹脂からなることができ、これとは異なり、樹脂基板資材として、ＦＲ−４、ＢＴ（Bismaleimide Triazine）、ＡＢＦ（Ajinomoto Buildup Film）などのエポキシ系樹脂を使用することができるが、特別にこれに限定されるものではない。
【００９７】
この際、前記ベース基板２０７の上面には前記埋め込まれた光導波路２１０の両端部を外部に露出させる露出溝（図示せず）が形成されている。
【００９８】
より好ましくは、前記ベース基板２０７の上面には前記光導波路２１０をなすコア層２０２の左側端部を露出する露出溝と、前記コア層２０２の右側端部を露出する露出溝が形成されている。
【００９９】
これによって、前記光導波路２１０は、前記絶縁層の上面または下面と平行に配置される第１領域と、前記第１領域の一端から延びて、一定曲率の鈍角を有して形成される第２領域と、前記第１領域の他端から延びて、一定曲率の鈍角を有して形成される第３領域を含む。
【０１００】
次に、図９に示すように、前記ベース基板２０７の上部に光送信機２０８及び光受信機２０９を実装する。
【０１０１】
この際、前記光送信機２０８は光信号を生成して出力するものであって、ドライバー集積回路（図示せず）及び発光素子（図示せず）を含む。前記発光素子は前記ドライバー集積回路により駆動されて前記ベース基板２０７の上部を通じて露出した光導波路２１０に光を発生する。
【０１０２】
この際、前記発光素子は光シグナルを照射する光源素子であるＶＣＳＥＬ（Vertical-Cavity Surface-Emitting Laser）を含むことができる。前記ＶＣＳＥＬはレーザービームを垂直に照射する方式により光源シグナルを伝送または増幅させる光源素子である。
【０１０３】
言い換えると、前記ドライバー集積回路は前記ＶＣＳＥＬと結合されて光信号が出力されるように前記ＶＣＳＥＬを駆動させ、前記ＶＣＳＥＬは能動素子として電気的信号を光信号に変換する役割をする。
【０１０４】
前記光受信機２０９はレシーバー集積回路（図示せず）及び受光素子（図示せず）を含む。
【０１０５】
前記受光素子は前記光送信機２０８から発生した光を受信するものであって、前記レシーバー集積回路により駆動される。前記受光素子は光シグナルを検出する素子であるＰＤ（Photo detector）を含むことができる。
【０１０６】
この際、前記光送信機２０８は前記ベース基板２０７に形成されたいずれか１つの露出溝の上部に実装されることができ、前記光受信機２０９は前記ベース基板２０７に形成された他の１つの露出溝の上部に実装できる。
【０１０７】
また、前記ではベース基板２０７に１つの光導波路２１０を埋め込む工程を説明したが、図１０のように前記光導波路２１０は多チャンネルに形成できる。また、多チャンネルだけでなく、前記光導波路２１０は多層的に形成されることもできる。
【０１０８】
図１１は、本発明の第２実施形態に従う光印刷回路基板を示す断面図である。
【０１０９】
図１１を参照すると、本発明の第２実施形態に従う光印刷回路基板４００は、ベース基板４０７、前記ベース基板４０７の内部に積層形成されて光路を形成する光導波路４１０、前記光導波路４１０の少なくとも一端に形成されて、前記光導波路４１０により形成される光路を一定曲率を有する鈍角に変更する光路変更部４０６、前記ベース基板４０７の上に積層されて光を送信する光送信機４０８、及び前記光送信機４０８を通じて送信された光を受信する光受信機４０９を含む。
【０１１０】
ベース基板４０７は、絶縁層と電気信号伝送のための回路パターン（図示せず）などを含むことができる。前記電気信号伝送のための回路パターンは、金、銀、ニッケル、銅などの電気伝導性金属からなることができて、本実施形態では銅を使用する。
【０１１１】
ベース基板４０７は、好ましくは補強材が含浸された熱硬化性樹脂からなることができ、例えば、プリプレグ、通常の樹脂基板資材として、ＦＲ−４、ＢＴ（Bismaleimide Triazine）、ＡＢＦ（Ajinomoto Buildup Film）などのエポキシ系樹脂を使用することができるが、特別にこれに限定されるものではない。
【０１１２】
前記ベース基板４０７の内部には光導波路４１０が埋め込まれている。
【０１１３】
この際、前記光導波路４１０は、下部クラッド層４０１、上部クラッド層４０３、及び前記下部クラッド層４０１と上部クラッド層４０３との間に形成されたコア層４０２を含む。
【０１１４】
ここで、前記下部クラッド層４０１及び上部クラッド層４０３はコア層４０２を通じて効率的な光信号の伝送がなされることができるように前記コア層４０２を覆いかぶせる構成で形成される。
【０１１５】
前記コア層４０２は、前記上部クラッド層４０３及び下部クラッド層４０１の両側から突出した形態に形成される。前記コア層４０２の両端は一定角度で切断されて前記ベース基板４０７の上部及び下部に各々露出するように形成されることができ、前記コア層の両切断面にはＡｌまたはＡｇのように反射度の高い物質で形成された反射層をさらに含むことができる。
【０１１６】
即ち、図２に図示された光印刷回路基板２００では、前記コア層２０２の両端が前記ベース基板２０７の上段を通じて露出した。しかしながら、第２実施形態に従う光印刷回路基板４００は、前記コア層４０２の一端は前記ベース基板４０７の上段を通じて露出し、コア層４０２の他端は前記ベース基板４０７の下段を通じて露出する。
【０１１７】
上記のように構成された光導波路４１０の両端部には前記光路を一定曲率を有して変更する光路変更部４０６が形成される。
【０１１８】
前記光路変更部４０６は水平方向の光路を鈍角に変更する。
【０１１９】
この際、前記光路変更部４０６の内部は前記光導波路４１０の両端部に対する鈍角を維持させるための熱硬化性絶縁物質で充填されている。言い換えると、前記光路変更部４０６の内部は前記のような熱硬化性絶縁物質で充填されるため、前記光導波路４１０の両端部を保護するだけでなく、前記光導波路４１０の両端部に形成された鈍角に変化が生じないように維持させる。
【０１２０】
前記光路変更部４０６の内部は前記ベース基板４０７を形成する物質と相異する物質で形成されることが好ましい。
【０１２１】
例えば、前記光路変更部４０６は前記ベース基板４０７を形成する物質よりガラス転移温度の高い熱硬化性絶縁物質で形成されるか、前記ベース基板４０７を形成する物質と異なる液状タイプに形成できる。
【０１２２】
前記ベース基板４０７の上には光送信機４０８及び前記光送信機４０８を通じて送信された光を受信する光受信機４０９のうち、いずれか１つが実装され、前記ベース基板４０７の下には光受信機４０９または光送信機４０８が実装される。
【０１２３】
より好ましくは、前記光送信機４０８は前記ベース基板４０７の上に露出した光導波路４１０の一端に配置され、前記光受信機４０９は前記ベース基板４０７の下に露出した光導波路４１０の他端に配置される。
【０１２４】
前記光送信機４０８は光信号を生成して出力するものであって、ドライバー集積回路（図示せず）及び発光素子（図示せず）を含む。前記発光素子は前記ドライバー集積回路により駆動されて前記ベース基板４０７の上部を通じて露出した光導波路４１０に光を発生する。
【０１２５】
この際、前記発光素子は光シグナルを照射する光源素子であるＶＣＳＥＬ（Vertical-Cavity Surface-Emitting Laser）を含むことができる。前記ＶＣＳＥＬはレーザービームを垂直に照射する方式により光源シグナルを伝送または増幅させる光源素子である。
【０１２６】
前記光受信機４０９は、レシーバー集積回路（図示せず）及び受光素子（図示せず）を含む。
【０１２７】
前記受光素子は前記光送信機４０８から発生した光を受信するものであって、前記レシーバー集積回路により駆動される。前記受光素子は光シグナルを検出する素子であるＰＤ（Photo detector）を含むことができる。
【０１２８】
上記のように、本発明の第２実施形態では、光送信機と光受信機を互いに異なる領域に配置することによって、光伝送経路をより多様に提供することができる。
【０１２９】
以上、本発明の実施形態について詳細に説明したが、本発明の権利範囲はこれに限定されるものではなく、次の請求範囲で定義している本発明の基本概念を用いた当業者の様々な変形及び改良形態も本発明の権利範囲に属するものである。
【図１】
0006050248.tif 000002
【図２】
0006050248.tif 000003
【図３】
0006050248.tif 000004
【図４】
0006050248.tif 000005
【図５】
0006050248.tif 000006
【図６】
0006050248.tif 000007
【図７】
0006050248.tif 000008
【図８】
0006050248.tif 000009
【図９】
0006050248.tif 000010
【図１０】
0006050248.tif 000011
【図１１】
0006050248.tif 000012